(57)【要約】【課題】不用意に切換操作が行われないように充分な強度を有しかつ簡単にロック操作及びロック解除操作を行ない得る移動切換機構を備えたレンズ鏡筒を提供する。【解決手段】光軸Ｏ方向に第１移動位置と第２移動位置とに移動可能であると共に光軸回りに回転可能に配置され光軸方向の移動又は光軸回りの回転の少なくとも一方の操作に応じてレンズ保持枠４５を光軸方向に移動させる駆動力を発生させる第１操作環１２と、第１操作環の光軸方向の移動に連動して第１操作環と共に第１又は第２移動位置に移動するし第１操作環が第１移動位置に位置している際に第１回転位置と第２回転位置とに回転操作可能な第２操作環２１と、光軸に対して固定されて配置され第２操作環が第１回転位置に回転した際には第２操作環の光軸方向への移動を阻止し、第２操作環が第２回転位置に回転した際には第２操作環の光軸方向への移動を許容する制御環２２とを具備した。【選択図】図３
2020071314.tif 000002
【特許請求の範囲】
【請求項１】
光軸に沿って第１移動位置と第２移動位置とに移動可能であるとともに光軸回りに回転可能に配置され、上記光軸方向の移動操作又は上記光軸回りの回転操作の少なくとも一方の操作に応じてレンズ保持枠を光軸方向に移動させるための駆動力を発生させる第１操作環と、
上記第１操作環の上記光軸方向の移動に連動して当該第１操作環とともに上記第１移動位置または上記第２移動位置に移動するとともに、上記第１操作環が上記第１移動位置に位置している際に、第１回転位置と第２回転位置とに回転操作可能な第２操作環と、
光軸に対して固定された位置に配置され、上記第２操作環が上記第１回転位置に回転した際には当該第２操作環が光軸方向に移動するのを阻止し、上記第２操作環が上記第２回転位置に回転した際には当該第２操作環が光軸方向に移動するのを許容する制御環と、
を具備したことを特徴とするレンズ鏡筒。
【請求項２】
上記第２操作環と上記制御環とによって上記第１操作環の光軸方向の移動の可否を切り換える移動切換部が構成され、
上記移動切換部は、上記第２操作環と上記制御環とが光軸方向において接触することによって上記第２操作環の光軸方向への移動を阻止し、
上記第２操作環が光軸方向への移動を阻止されていない位置では上記第２操作環と上記制御環とが相対的に光軸方向に移動可能に構成されていることを特徴とする請求項１記載のレンズ鏡筒。
【請求項３】
上記移動切換部は、
上記第２操作環から光軸方向に突出する第１突出部と、
上記制御環から径方向に突出する第２突出部と、
上記制御環に形成されたスライド部と、
を含み、
上記第２操作環が上記第１回転位置に回転した際には上記第１突出部が上記制御環の上記第２突出部と光軸方向において互いに対向することにより上記第２操作環が光軸方向に移動するのを阻止し、上記第１突出部が上記制御環の上記スライド部にスライド可能となる場合には上記第２操作環が光軸方向へ移動するのを許容することを特徴とする請求項２記載のレンズ鏡筒。
【請求項４】
上記第２操作環には、操作者に回転操作させるための回転操作部が設けられ、
上記第１操作環には、光軸回りに回転可能に配置され上記回転操作部を露呈するための開口部が設けられ、
上記回転操作部は、上記開口部内において回転操作可能であることを特徴とする請求項１記載のレンズ鏡筒。
【請求項５】
上記レンズ鏡筒は、上記第１操作環とは異なる機能を設定するための第３操作環を、更に有し、
上記第３操作環は、上記第１操作環が第２移動位置にあるときには、光軸方向における一端部が上記第１操作環に設けられた上記開口部の少なくとも一部を覆うように配置されていることを特徴とする請求項１記載のレンズ鏡筒。
【発明の詳細な説明】
【技術分野】
【０００１】
この発明は、マニュアルフォーカスクラッチ機構を備えたレンズ鏡筒に関するものである。
【背景技術】
【０００２】
従来、撮像光学系により結像された光学像を、撮像素子等を用いて光電変換することにより画像データを取得するように構成されたデジタルカメラ等の撮像装置が実用化され広く普及している。
【０００３】
この種の撮像装置に用いられるレンズ鏡筒においては、オートフォーカス（ＡＦ）動作とマニュアルフォーカス（ＭＦ）動作との切り換えを、撮像装置側の設定メニューとは別に行ない得るように構成したものが、例えば特許５４１２４７１号公報等によって種々提案されている。
【０００４】
上記特許５４１２４７１号公報等によって開示されているレンズ鏡筒は、焦点調節用操作部材（フォーカスリング）を、光軸に沿う方向における所定の範囲内で摺動自在に構成し、例えば当該フォーカスリングを前端側の第１の位置に配置した時には通常のオートフォーカス（ＡＦ）制御を行う動作モードで作用する一方、当該フォーカスリングを後端側の第２の位置に配置すると、設定メニュー操作を行うことなく瞬時にマニュアルフォーカスモードに切り換わるように構成した、いわゆるマニュアルフォーカスクラッチ機構を搭載したレンズ鏡筒が開示されている。
【０００５】
一方、従来のレンズ鏡筒においては、携帯して持ち運んでいるときなど、レンズ鏡筒や撮像装置の不使用時にはレンズ鏡筒の全長を、通常の撮影使用時よりも短縮させた形態とすることができるように構成された、いわゆる沈胴式のレンズ鏡筒が、例えば特開２０１０−２８６７８９号公報等によって、種々提案され、また実用化されている。
【０００６】
上記特開２０１０−２８６７８９号公報等によって開示されている沈胴式レンズ鏡筒においては、撮影領域内と沈胴領域内では回動操作によって撮影レンズを移動させ、撮影領域の端部のうち沈胴領域側の端部においては光軸方向への直進操作が可能なズーム環と、ズーム環の撮影領域から沈胴領域方向への切り換わりを規制するロック部材とを設け、ロック部材は、撮影領域の端部のうち沈胴領域側の端部にズーム環が位置したとき、ズーム環に対する沈胴領域側への回動操作を禁止して撮影状態を維持し、当該端部にあるズーム環に対する直進操作を行うとズーム環の沈胴領域側への回動操作の禁止を解除して沈胴状態への切り替わりを許容するように構成されている。
【０００７】
このような構成により、上記特開２０１０−２８６７８９号公報等によって開示されている沈胴式レンズ鏡筒においては、撮影状態から沈胴状態への意図しない切り換わり操作を防止している。
【先行技術文献】
【特許文献】
【０００８】
【特許文献１】特許５４１２４７１号公報
【特許文献２】特開２０１０−２８６７８９号公報
【発明の概要】
【発明が解決しようとする課題】
【０００９】
ところが、上記特許５４１２４７１号公報等によって開示されているレンズ鏡筒の構成は、フォーカスリングの光軸に沿う方向への摺動操作のみで、マニュアルフォーカス動作モードへと簡単に切り換わる構成となっている。したがって、当該レンズ鏡筒を装着した撮像装置を使用する際の状況によっては、例えば使用者（ユーザ）の意図しないときにフォーカスリングが移動してしまうことがある。そのような場合、使用者が当該撮像装置の使用を開始した時に、当該使用者が想定しない動作が行われてしまう（使用者の想定通りに動かない）ことになり、当該使用者は当該撮像装置が故障した等の勘違いをしてしまう可能性がある。
【００１０】
具体的には、例えば、当該レンズ鏡筒を装着した撮像装置を、使用者が鞄等に入れて持ち運ぶような場合がある。この場合、使用者は、当該撮像装置を使用する時に、当該撮像装置を鞄から取り出す。
【００１１】
このような状況下においては、例えば、運搬中の鞄の中で当該撮像装置が動くことで、使用者の意志に反してフォーカスリングが動いてしまう可能性がある。また、使用者が当該撮像装置を使用するのに際して鞄の中から当該撮像装置を取り出すときに、鞄の一部に触れる等により使用者の意志に反してフォーカスリングが動いてしまう可能性がある。
【００１２】
このように、フォーカスリングが使用者の意志に反して動いてしまったとき、使用者が、そのことに気が付かなければ、当該撮像装置の動作は、使用者の意図に反したものになる。特に、使用者がオートフォーカス動作モードでの使用を行おうとしているときに、フォーカスリングが後端側へと移動してマニュアルフォーカス動作モードに切り換わっていると、撮像装置は一見動作していないように見えることがあるので問題である。そこで、使用者の意図に反してフォーカスリングの光軸に沿う方向への移動を防止するための工夫が望まれている。
【００１３】
一方、上記特開２０１０−２８６７８９号公報等によって開示されている沈胴式レンズ鏡筒は、上述したように、撮影状態から沈胴状態への意図しない切り換わり操作を防止するものである。つまり、当該公報等に開示されている構成では、レンズ鏡筒を撮影状態として使用中に、意図せずに、不使用状態である沈胴状態に切り換わることを防止する構成である。
【００１４】
しかしながら、上記特許５４１２４７１号公報等によって開示されているレンズ鏡筒のように、マニュアルフォーカスクラッチ機構を搭載したレンズ鏡筒では、その使用者は、撮影状態として使用中には、任意のタイミングで、いつでも切り換え操作を行うことがある。そのような場合にも、切換操作の前後では撮影状態が常に維持されている必要がある。
【００１５】
本発明は、上述した点に鑑みてなされたものであって、その目的とするところは、マニュアルフォーカスクラッチ機構を備えたレンズ鏡筒において、不用意に切換操作が行われないように、充分な強度を有し、かつ簡単にロック操作及びロック解除操作を行ない得る移動切換機構を備えたレンズ鏡筒を提供することである。
【課題を解決するための手段】
【００１６】
上記目的を達成するために、本発明の一態様のレンズ鏡筒は、光軸に沿って第１移動位置と第２移動位置とに移動可能であるとともに光軸回りに回転可能に配置され、上記光軸方向の移動操作又は上記光軸回りの回転操作の少なくとも一方の操作に応じてレンズ保持枠を光軸方向に移動させるための駆動力を発生させる第１操作環と、上記第１操作環の上記光軸方向の移動に連動して当該第１操作環とともに上記第１移動位置または上記第２移動位置に移動するとともに、上記第１操作環が上記第１移動位置に位置している際に、第１回転位置と第２回転位置とに回転操作可能な第２操作環と、光軸に対して固定された位置に配置され、上記第２操作環が上記第１回転位置に回転した際には当該第２操作環が光軸方向に移動するのを阻止し、上記第２操作環が上記第２回転位置に回転した際には当該第２操作環が光軸方向に移動するのを許容する制御環と、を具備した。
【発明の効果】
【００１７】
本発明によれば、マニュアルフォーカスクラッチ機構を備えたレンズ鏡筒において、不用意に切換操作が行われないように、充分な強度を有し、かつ簡単にロック操作及びロック解除操作を行ない得る移動切換機構を備えたレンズ鏡筒を提供することができる。
【図面の簡単な説明】
【００１８】
【図１】本発明の一実施形態のレンズ鏡筒の外観を示す外観図
【図２】図１のレンズ鏡筒について光軸に沿って切断した切断面を示す縦断面図
【図３】図１のレンズ鏡筒の分解斜視図
【図４】図１のレンズ鏡筒におけるフォーカスリング（第１操作環）の移動切換機構の構成部材を取り出して示す要部分解斜視図
【図５】図４の移動切換機構の構成部材のうち回転操作部の配設されている近傍を拡大して示す要部拡大断面図である（図２の符号［Ａ］で示す領域の拡大断面図）
【図６】図４とば別方向から見た移動切換機構を示す要部分解斜視図
【図７】図６の移動切換機構を組み合わせた状態を示す要部分解斜視図
【図８】図４の移動切換機構の構成部材のうち固定リング（制御環）の三面図
【図９】図４の移動切換機構の構成部材のうち固定リング操作環（第２操作環）の三面図
【図１０】本発明の一実施形態のレンズ鏡筒における移動切換機構の第１状態を示す要部拡大断面図
【図１１】図１０の状態の移動切換機構の主要部の一部を切断し拡大して示す要部拡大斜視図
【図１２】本発明の一実施形態のレンズ鏡筒における移動切換機構の第２状態を示す要部拡大断面図
【図１３】図１２の状態の移動切換機構の主要部の一部を切断し拡大して示す要部拡大斜視図
【図１４】本発明の一実施形態のレンズ鏡筒における移動切換機構の第３状態を示す要部拡大断面図
【図１５】図１４の状態の移動切換機構の主要部の一部を切断し拡大して示す要部拡大斜視図
【発明を実施するための形態】
【００１９】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２０】
本発明の一実施形態は、例えば撮像光学系により結像された光学像を、例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置、例えばデジタルカメラやビデオカメラ等に適用されるレンズ鏡筒を例示するものである。
【００２１】
以下に説明する一実施形態のレンズ鏡筒は、撮像装置本体に対してレンズ鏡筒が着脱自在に構成される形態の、いわゆるレンズ交換式撮像装置において使用される交換式のレンズ鏡筒として例示している。しかしながら、本発明を適用し得るレンズ鏡筒の形態としては、この種の交換式のレンズ鏡筒に限られることはない。例えば、撮像装置本体とレンズ鏡筒とが一体に固設されて構成される形態の、いわゆるレンズ一体式撮像装置に用いられるレンズ鏡筒に対しても、全く同様に適用することができる。
【００２２】
また、以下の一実施形態において、レンズ鏡筒における撮像光学系の光軸を符号Ｏで表すものとする。この光軸Ｏに沿う方向において、レンズ鏡筒の前面に対向する側（即ち被写体のある側）を前方というものとする。また、レンズ鏡筒の前方に対して光軸方向に沿って反対側であって、当該レンズ鏡筒が撮像装置本体に連結される側（即ちレンズマウントリングのある側）を後方というものとする。そして、レンズ鏡筒の後方に、撮像素子を収納した撮像装置本体が配設される構成となっているものとする。
【００２３】
したがって、このような構成により、レンズ鏡筒の前方から被写体の反射光（以下、被写体光という）がレンズ鏡筒内の撮像光学系へと入射する。レンズ鏡筒の前方から入射した当該被写体光は、当該レンズ鏡筒における撮像光学系を透過して光軸に沿う方向に進行する。その際、当該撮像光学系は、被写体の光学像（以下、被写体像という）を形成する。そして、その被写体像は、当該レンズ鏡筒の後方に配置される撮像素子の受光面上に結像する。
【００２４】
［一実施形態］
図１〜図９は、本発明の一実施形態を示す図である。このうち、図１は本実施形態のレンズ鏡筒の外観を示す外観図である。図２は図１のレンズ鏡筒について光軸に沿って切断した切断面を示す縦断面図である。図３は、図１のレンズ鏡筒の分解斜視図である。図４は図１のレンズ鏡筒におけるフォーカスリング（第１操作環）の移動切換機構の構成部材を取り出して示す要部分解斜視図である。図５は図４の移動切換機構の構成部材のうち回転操作部の配設されている近傍を拡大して示す要部拡大断面図である（図２の符号［Ａ］で示す領域の拡大断面図）。図６は図４とば別方向から見た移動切換機構を示す要部分解斜視図である。図７は図６の移動切換機構を組み合わせた状態を示す要部分解斜視図である。なお、図７では、フォーカスリング（第１操作環）が第１移動位置にあり固定リング操作環（第２操作環）が第２回転位置にある状態（ＡＦフリー状態）を示している。図８は図４の移動切換機構の構成部材のうち固定リング（制御環）の三面図である。なお、図８において符号［２２Ａ］は平面図である。また図８において符号［２２Ｂ］［２２Ｃ］はそれぞれ側面図である。図９は図４の移動切換機構の構成部材のうち固定リング操作環（第２操作環）の三面図である。なお、図９において符号［２１Ａ］は平面図である。また図９において符号［２１Ｂ］［２１Ｃ］はそれぞれ側面図である。
【００２５】
まず、本発明の一実施形態のレンズ鏡筒の概略構成を、図１〜図３を用いて以下に説明する。
【００２６】
本実施形態のレンズ鏡筒１は、指標表示枠１１と、第１操作環であるフォーカスリング１２と、距離表示リング１３と、摺動環１４と、中間環１５と、固定筒１６と、オサエ環１７と、ズーム操作リング１８と、後側外装筒１９と、移動切換機構２０（移動切換部）と、レンズマウントリング２６と、撮像光学系を構成する複数の光学レンズ群（３１〜３６）及び複数のレンズ保持枠（４１〜４６）等によって主に構成されている。
【００２７】
指標表示枠１１は、本レンズ鏡筒１の最先端部に設けられる円環状部材である。この指標表示枠１１には、レンズフード等のアクセサリ（不図示）を取り付けるバヨネット溝が形成されている。そのために、当該指標表示枠１１には、アクセサリ取付用指標（不図示）が設けられている。
【００２８】
フォーカスリング１２は、焦点調節操作を使用者（ユーザ）が手動にて行う際に用いる操作部材であり、本レンズ鏡筒１における第１操作環である。そのために、当該フォーカスリング１２は、その外面が当該レンズ鏡筒１の最外周面側に露呈して配置されている。
【００２９】
フォーカスリング１２は、撮像光学系を構成する複数の光学レンズ群（後述；図２の符号３１〜３６参照）のうちの所定のフォーカスレンズ群（本例では図２の符号３５）を保持する所定のレンズ保持枠（本例のレンズ鏡筒１では図２の符号４５）を、光軸Ｏ回りの回転操作に応じて光軸Ｏに沿う方向へと進退移動させるための駆動力を発生させる操作部材である。
【００３０】
また、フォーカスリング１２は、光軸方向の移動に応じて（例えば、後述する第１移動位置から第２移動位置へと移動するときなど）、所定のレンズ保持枠（符号４２）を光軸方向に移動させる駆動力を発生させる。
【００３１】
フォーカスリング１２は、略円環形状に形成され、当該レンズ鏡筒１の撮像光学系の光軸Ｏに沿う方向において第１移動位置と第２移動位置との間の所定の範囲内でスライド移動自在に構成されていると共に、同光軸Ｏ回りに回転自在となるように構成されている。
【００３２】
詳述すると、フォーカスリング１２は、光軸Ｏに沿う方向（図１の矢印Ｘ方向）において被写体側（前方）の第１移動位置と、同光軸Ｏに沿う方向においてレンズマウントリング側（後方）の第２移動位置との間でスライド移動し得るように配設されている。
【００３３】
この場合において、フォーカスリング１２が第１移動位置にあるときには（後述の図１０，図１２参照）、中間環１５の係止部１５ａ（固定部）と、オサエ環１７の係止部１７ａ（移動部）とが光軸Ｏに沿う方向において当接することで、フォーカスリング１２が第１移動位置よりも前方へとスライド移動するのを規制している。
【００３４】
また、フォーカスリング１２が第２移動位置にあるときには（後述の図１４参照）、フォーカスリング１２の先端部に設けられる係止部１２ｂ（移動部）と、距離表示リング１３の係止部１３ａ（固定部）とが光軸Ｏに沿う方向において当接することで、フォーカスリング１２が第２移動位置よりも後方へとスライド移動するのを規制している。
【００３５】
フォーカスリング１２が第１移動位置にあるときに、使用者による回転操作がなされると、撮像装置本体（不図示）側のフォーカス制御設定に応じた所定の作用がなされる。例えば、撮像装置本体（不図示）側のフォーカス制御設定が「ＡＦ＋ＭＦ」設定のときには、シャッターボタン（不図示）の半押し操作又はＡＦボタン押し操作によってオートフォーカス動作を実行した後に、フォーカスリング１２を回転操作すると、マニュアルフォーカス動作を行うことができる。また、撮像装置本体（不図示）側のフォーカス制御設定が「ＭＦ」設定のときには、いつでもフォーカスリング１２を回転操作することによりマニュアルフォーカス動作を行うことができる。なお、フォーカスリング１２が第１移動位置にあるときのフォーカスリング１２の回転範囲に規制はなく、際限なく正逆方向に回転操作することができる。
【００３６】
一方、フォーカスリング１２が第２移動位置にあるときには、撮像装置本体（不図示）側のフォーカス制御設定に関わらず、使用者による回転操作がなされると、常にマニュアルフォーカス動作が行われる。この場合（フォーカスリング１２が第２移動位置にあるとき）におけるフォーカスリング１２の回転は、所定の回転範囲内で正逆方向に回転するように規制されている。この場合における回転範囲は、後述する距離表示リング１３に表示される最短撮像距離位置から無限遠位置までの間となる。
【００３７】
また、フォーカスリング１２が、使用者（ユーザ）によって、第１の移動位置から第２の移動位置へとスライド移動されたときには、フォーカスレンズ群３４を保持するレンズ保持枠４２は、そのとき距離表示リング１４によって設定されている距離設定値（前回、フォーカスリング１２を第２移動位置で使用したときの距離表示リング１４の距離設定値）に対応するフォーカス位置へと、光軸方向に駆動される。
【００３８】
なお、フォーカスリング１２の光軸方向のスライド移動によるレンズ保持枠４２の光軸方向へ移動させる駆動制御は、フォーカスリング１２の第２の移動位置から第１の移動位置へのスライド移動するときにも、同様に、行うように構成してもよい。また、このような駆動制御は、フォーカスリング１２の第１の移動位置から第２の移動位置への移動時のみとしてもよいし、フォーカスリング１２の第２の移動位置から第１の移動位置への移動時のみとしてもよい。
【００３９】
このように、本レンズ鏡筒１においては、フォーカスリング１２を第１移動位置と第２移動位置との間でスライド移動させることによって、フォーカスリング１２と所定のレンズ保持枠（４２）との間の動力伝達機構の接続又は遮断を切り換えるマニュアルフォーカスクラッチ機構が具備されている。なお、当該マニュアルフォーカスクラッチ機構自体についての詳細構成は、本発明に直接関連しない部分であるので、その説明は省略する。
【００４０】
距離表示リング１３は、固定筒１６の前端寄りの外周側に固設され、外表面上に撮像距離指標が刻印された略円環状部材である。この距離表示リング１３は、フォーカスリング１２が第１移動位置に配置されているときには、当該フォーカスリング１２によって外面が覆い隠される一方、フォーカスリング１２が第２移動位置に配置されたときには、撮像距離指標が外部に露呈されるように配設されている。
【００４１】
摺動環１４は、固定筒１６の外周側であって、距離表示リング１３の後方に固設される略円環状部材である。この摺動環１４の外周側にはフォーカスリング１２を含む構成ユニット（詳細後述）が配置されている。摺動環１４は、当該フォーカスリング１２を含む構成ユニットの移動（光軸方向へのスライド移動及び光軸回りの回転移動）が円滑かつ自在に行い得るように保持する構成部材である。
【００４２】
中間環１５は、例えばフォトインタラプタやＡＦ／ＭＦ切換スイッチ等の各種の電気部品（不図示）を搭載した略円環状部材である。この中間環１５は、固定筒１６の外周面上に固設されている。
【００４３】
当該中間環１５に載置されたフォトインタラプタ（不図示）と、フォーカスリング１２と共に回転する固定リング２２（制御環；詳細後述）に設けられるフォトインタラプタ用スリット２２ｅ（図５等参照）とによって、フォーカスリング１２の回転位置の検出がなされる。
【００４４】
固定筒１６は、距離表示リング１３，摺動環１４，中間環１５，後側外装筒１９等の固定部材を外周側で固定保持すると共に、内部に撮像光学系及びその駆動機構等の構成ユニとを収納配置した固定筒部材である。
【００４５】
オサエ環１７は、フォーカスリング１２の後端部位に固設される略円環状部材である。このオサエ環１７は、光軸Ｏに沿う方向におけるフォーカスリング１２の移動を規制するために設けられている構成部材である。
【００４６】
ズーム操作リング１８は、使用者がズーミング操作を手動にて行う際に用いる操作部材である。即ち、ズーム操作リング１８は、本レンズ鏡筒１においてフォーカスリング１２（第１操作環）とは異なる機能を設定するための第３操作環である。当該ズーム操作リング１８は、その外面が当該レンズ鏡筒１の最外周面側に露呈して配置されている。この場合において、ズーム操作リング１８は、フォーカスリング１２よりも光軸Ｏに沿う方向に置いて後方に並べて配置されている。
【００４７】
後側外装筒１９は、固定筒１６の外側に設けられ、本レンズ鏡筒１の後方寄りの外面を覆う外装部材である。この後側外装筒１９の後端面には、レンズマウントリング２６が取り付けられている。このレンズマウントリング２６は、撮像装置本体（不図示）との連結用部材である。
【００４８】
移動切換機構２０は、フォーカスリング１２（第１操作環）の光軸Ｏに沿う方向への移動の可否（即ち移動の阻止又は許可）を切り換えるための移動切換部である。そのために、移動切換機構２０は、第２操作環である固定リング操作環２１と、制御環である固定リング２２と、回転操作部である操作ボタン２３とによって構成されている。なお、移動切換機構２０の詳細構成及び作用については後述する。
【００４９】
また、本レンズ鏡筒１においては、撮像光学系を構成する複数の光学レンズ群（３１〜３６）と、これら複数の光学レンズ群をそれぞれ保持する複数のレンズ保持枠（４１〜４５）等を有して構成されている。本実施形態で例示するレンズ鏡筒１においては、例えば、レンズ群３１、３２，３３，３４，３６は、それぞれレンズ保持枠４１，４２，４３，４４，４６によって固定保持されている。また、フォーカスレンズ群３５はレンズ保持枠４５によって固定保持されている。
【００５０】
このうち、レンズ保持枠４５は、所定の駆動機構によって光軸Ｏに沿う方向に移動自在に構成されている。また、図示は省略しているが、当該レンズ保持枠４５とフォーカスリング１２との間には、所定の動力伝達機構が介在している。そして、レンズ保持枠４５とフォーカスリング１２との間の動力伝達機構は、マニュアルフォーカスクラッチ機構によって接続状態と遮断状態とに切り換えることができるように構成されている。
【００５１】
さらに、マニュアルフォーカスクラッチ機構は、移動切換機構２０によって、その作用が許容され又は阻止され得るように構成されている。
【００５２】
ここで、本実施形態のレンズ鏡筒１における移動切換機構２０の詳細構成について、図４〜図９を用いて以下に説明する。
【００５３】
上述したように、移動切換機構２０は、第１操作環であるフォーカスリング１２の光軸Ｏに沿う方向への移動の可否（即ち移動の阻止又は許可）を切り換えるための移動切換部である。そのために、移動切換機構２０は、固定リング操作環２１（第２操作環）と、固定リング２２（制御環）と、回転操作部である操作ボタン２３とによって構成されている。
【００５４】
当該移動切換機構２０は、固定リング操作環２１（第２操作環）と固定リング２２（制御環）とが光軸Ｏに沿う方向において接触することによって、フォーカスリング１２（第１操作環）の光軸Ｏに沿う方向への移動を阻止し、フォーカスリング１２（第１操作環）が光軸Ｏに沿う方向への移動を阻止されていないときには、固定リング操作環２１（第２操作環）と固定リング２２（制御環）とが相対的に光軸Ｏに沿う方向に移動可能に構成されている。
【００５５】
固定リング操作環２１は、フォーカスリング１２の光軸Ｏに沿う方向へのスライド移動に連動して当該フォーカスリング１２と共に第１移動位置または第２移動位置に移動すると共に、フォーカスリング１２が第１移動位置に位置している際に、光軸Ｏ回りの所定の回転範囲内（第１回転位置と第２回転位置との間）で回転操作が可能なように構成されている。
【００５６】
ここで、固定リング操作環２１は、フォーカスリング１２の内周面において、係止部１２ｃとオサエ環１７の係止部１７ｂとの間に挟持されることで固定されている。これにより、固定リング操作環２１は、フォーカスリング１２の光軸Ｏに沿う方向へのスライド移動に連動して当該フォーカスリング１２と共に同方向へ移動する。
【００５７】
そして、フォーカスリング１２が第１移動位置にあるときに、当該固定リング操作環２１を第１回転位置と第２回転位置とのいずれか一方に配置させる回転操作を行うことで、本レンズ鏡筒１に具備されるマニュアルフォーカスクラッチ機構の作用が許可され（即ち、フォーカスリング１２の光軸Ｏに沿う方向へのスライド移動が許可され）、又はマニュアルフォーカスクラッチ機構の作用が阻止される（即ち、フォーカスリング１２の光軸Ｏに沿う方向へのスライド移動が阻止される）。
【００５８】
また、固定リング操作環２１を、第１回転位置と第２回転位置とのいずれか他方に配置させる回転操作を行うと、本レンズ鏡筒１に具備されるマニュアルフォーカスクラッチ機構の作用が阻止され（即ち、フォーカスリング１２の光軸Ｏに沿う方向へのスライド移動が阻止され）、又はマニュアルフォーカスクラッチ機構の作用が許可（フォーカスリング１２のスライド移動が許可）される。
【００５９】
なお、フォーカスリング１２は、第１移動位置にあるときにも第２移動位置にあるときにも、いずれの場合にも、光軸Ｏ回りの回転は常に許可されている。
【００６０】
固定リング操作環２１は、全体として略円環状に形成されており、フォーカスリング１２の後端寄り部分の内面側に配置されている。そして、固定リング操作環２１は、円環本体部２１ａと、第１突出部２１ｂと、スラスト規制部２１ｃと、摺動許容領域２１ｄと、ボタン配置孔２１ｅとを有して形成されている。
【００６１】
円環本体部２１ａは、当該固定リング操作環２１の本体部であり、円環状に形成される基本構成部材である。この円環本体部２１ａの外周縁部から光軸Ｏに沿う方向に向けて第１突出部２１ｂとスラスト規制部２１ｃとが延出するように形成されている。また、同様に、円環本体部２１ａの外周縁部から光軸Ｏに沿う方向に向けてボタン配置孔２１ｅを有するボタン配置部２１ｆが形成されている。
【００６２】
第１突出部２１ｂは、当該固定リング操作環２１（第２操作環）の外周縁部から光軸Ｏに沿う方向に突出するヒレ状部位である。この第１突出部２１ｂは、円環本体部２１ａの周面上において所定の間隔を置いて複数形成されている。本実施形態では第１突出部２１ｂを６つ設けた例を示している。
【００６３】
スラスト規制部２１ｃは、ボタン配置部２１ｆと共に、フォーカスリング１２の係止部１２ｃとオサエ環１７の係止部１７ｂとの間に挟持されることによって、固定リング操作環２１のスラスト方向への移動を規制し、フォーカスリング１２に対して固定する構成部位である。
【００６４】
スラスト規制部２１ｃは、第１突出部２１ｂと同様に、該固定リング操作環２１（第２操作環）の外周縁部から光軸Ｏに沿う方向に突出するヒレ状部位であって、上記第１突出部２１ｂよりも若干突出量が大となるように形成されている。このスラスト規制部２１ｃは、円環本体部２１ａの周面上において所定の間隔を置いて複数形成されている。本実施形態ではスラスト規制部２１ｃを２つ設けた例を示している。
【００６５】
摺動許容領域２１ｄは、上記第１突出部２１ｂ及びスラスト規制部２１ｃの隣接する部位の領域を指すものとする。
【００６６】
ボタン配置孔２１ｅは、回転操作部である操作ボタン２３を配置するために形成される孔部である。このボタン配置孔２１ｅは、ボタン配置部２１ｆに形成されている。ボタン配置孔２１ｅは、ボタン配置部２１ｆの略中央部分において、固定リング操作環２１の径方向に貫通して穿設されている。
【００６７】
ボタン配置部２１ｆは、上記スラスト規制部２１ｃ，第１突出部２１ｂと略同様に円環本体部２１ａの外周縁部から光軸Ｏに沿う方向に延出するように形成される円弧状の平面部である。このボタン配置部２１ｆには、上述したようにボタン配置孔２１ｅが形成されている。また、当該ボタン配置部２１ｆは、上述したように、スラスト規制部２１ｃと同じ機能をも有している。
【００６８】
そして、ボタン配置孔２１ｅには、使用者が回転操作を行うための回転操作部である操作ボタン２３が配置されている。このとき、当該操作ボタン２３の外表面は、当該レンズ鏡筒１の最外周面側に露呈するように配置されている。
【００６９】
上述したように、固定リング操作環２１は、ボタン配置孔２１ｅに操作ボタン２３を配置した状態でフォーカスリング１２の内面側に配置されている。そして、この状態としたときに、操作ボタン２３の外表面を外部に露呈させるために、フォーカスリング１２（第１操作環）には開口部１２ａ（図１，図３参照）が設けられている。この開口部１２ａは、フォーカスリング１２の周方向に延びる略長方形状の貫通開口として形成されている。この開口部１２ａに配置された操作ボタン２３（回転操作部）は、開口部１２ａ内において、周方向の所定の範囲内で移動可能に配置される。したがって、操作ボタン２３は、フォーカスリング１２に対して光軸Ｏ周りに回転操作可能に配置されている。このような構成により、操作ボタン２３を当該開口部１２ａ内で回転操作すると、固定リング操作環２１が光軸Ｏ周りに所定の範囲内（開口部１２ａの範囲内）で回転する。
【００７０】
この場合において、操作ボタン２３が開口部１２ａの周方向における一端部に配置されるとき、その位置を第１回転位置というものとする。また、操作ボタン２３が開口部１２ａの周方向における他端部に配置されるとき、その位置を第２回転位置というものとする。
【００７１】
なお、操作ボタン２３は、図６に示すように、裏面側に板バネ状の付勢部材２３ａが設けられている。この付勢部材２３ａは、操作ボタン２３がボタン配置孔２１ｅ内に配置された時、当該操作ボタン２３を径方向外側に向けて付勢している。操作ボタン２３が、この状態にあるとき、当該操作ボタン２３は、不図示の規制部によって回転移動が規制されるように構成されている。
【００７２】
したがって、操作ボタン２３を開口部１２ａ内において第１回転位置と第２回転位置との間で回転操作するときには、まず、操作ボタン２３を付勢部材２３ａの付勢力に抗して所定量だけ押し下げた状態にした後、その状態を維持したまま回転操作を行うように構成されている。これにより、操作ボタン２３は、通常状態にあるときには回転規制されている。
【００７３】
つまり、操作ボタン２３は、通常状態ではフォーカスリング１２に対して固定状態にあり回転規制されている。一方、操作ボタン２３は、押し下げ操作されたときには、フォーカスリング１２に対する固定状態が解除される状態となる。これにより、フォーカスリング１２と固定リング操作環２１との連動も解除され、よって固定リング操作環２１の回転操作が許容される。この場合において、固定リング操作環２１の回転操作は、操作ボタン２３の開口部１２ａ内における第１回転位置と第２回転位置との間の回転操作である。
【００７４】
このような構成により、固定リング操作環２１は、操作ボタン２３を介して使用者による手動回転操作を受けることができるように構成されている。したがって、このとき、固定リング操作環２１は、本レンズ鏡筒１における第２操作環として機能する。
【００７５】
なお、操作ボタン２３及び開口部１２ａは、フォーカスリング１２（第１操作環）が第１移動位置にあるときには、略全てが外部に露呈されるように配置されている。これにより、フォーカスリング１２が第１移動位置にあるときには、操作ボタン２３による固定リング操作環２１の回転操作を容易に行うことができるように構成されている。一方、フォーカスリング１２を第２移動位置にスライド移動させたときには、操作ボタン２３及び開口部１２ａは、少なくとも一部がズーム操作リング１８（第３操作環）の前端部分によって覆われるように構成されている。
【００７６】
このような構成により、操作ボタン２３による固定リング操作環２１の回転操作は、フォーカスリング１２が第１移動位置にあるときには容易に行うことができる一方、フォーカスリング１２が第２移動位置にあるときには行うことができないように構成されている。
【００７７】
なお、この場合において、フォーカスリング１２が第２移動位置にあるときには、フォーカスリング１２の光軸Ｏに沿う方向への移動は常に許容されている状態となっている。したがって、この状態においては、いつでもフォーカスリング１２を第１移動位置へとスライド移動させることができる状態となっている。
【００７８】
一方、固定リング２２は、フォーカスリング１２が第１移動位置にあるとき、固定リング操作環２１（第２操作環）が第１回転位置に回転した際には、当該固定リング操作環２１（第２操作環）が光軸Ｏに沿う方向に移動するのを阻止し、固定リング操作環２１（第２操作環）が第２回転位置に回転した際には、当該固定リング操作環２１（第２操作環）が光軸Ｏに沿う方向に移動するのを許容する制御環である。
【００７９】
固定リング２２は、摺動環１４と中間環１５とによって光軸Ｏに沿う方向に置いて挟持されていることにより、光軸Ｏに沿う方向への移動が規制された状態で固定筒１６の外周面上に配置されている。また、固定リング２２は、この状態でフォーカスリング１２の光軸Ｏ回りの回転に連動して回転し得るように構成されている。
【００８０】
固定リング２２（制御環）は、固定リング本体部２２ａと、第２突出部２２ｂと、スライド部２２ｃと、通過可能領域２２ｄと、フォトインタラプタ用スリット２２ｅと、２２ｆを有して形成されている。
【００８１】
固定リング本体部２２ａは、当該固定リング２２の本体部として構成される基本構成部材である。固定リング本体部２２ａは、全体として略円環状に形成されている。
【００８２】
第２突出部２２ｂは、固定リング本体部２２ａの外周面後端寄りの部位から径方向に突出するように形成され、周方向に延びる壁状部位である。この第２突出部２２ｂは、固定リング本体部２２ａの外周面に沿って所定の間隔を置いて複数設けられている。この第２突出部２２ｂは、固定リング操作環２１の第１突出部２１ｂに対応して設けられる構成部である。したがって、第２突出部２２ｂは、固定リング操作環２１の第１突出部２１ｂと同数設けられている。本実施形態では、第２突出部２２ｂを６つ設けた例を示している。
【００８３】
この第２突出部２２ｂは、固定リング操作環２１の第１突出部２１ｂに対して、光軸Ｏに沿う方向において当接することにより、フォーカスリング１２（第１操作環）が第１移動位置または第２移動位置へ光軸Ｏに沿う方向に移動することを阻止する機能を有する（詳細後述）。
【００８４】
スライド部２２ｃは、固定リング２２（制御環）の固定リング本体部２２ａの外周面上に形成され、フォーカスリング１２が光軸Ｏに沿う方向にスライド移動するときに、固定リング操作環２１の第１突出部２１ｂが摺動する摺動面である。
【００８５】
通過可能領域２２ｄは、固定リング操作環２１の第１突出部２１ｂを、当該固定リング２２の外周面（スライド部２２ｃ）に沿わせて通過させるための空間領域である。この通過可能領域２２ｄは、隣接する第２突出部２２ｂ同士の間の空間領域を主に指すものとする。
【００８６】
フォトインタラプタ用スリット２２ｅは、固定リング本体部２２ａの内周面状に形成される壁状部位である。このフォトインタラプタ用スリット２２ｅは、フォーカスリング１２に連動して当該固定リング２２が回転するとき、中間環１５に固設されたフォトインタラプタ（不図示）に作用することで、フォーカスリング１２の回転位置を検出する検出ユニットの一部を構成している。
【００８７】
なお、固定リング２２とフォーカスリング１２との回転連動機構については、特に図示していないが、固定リング２２の外周縁部に周方向外方に向けて突設される連動凸部２２ｆ（図４参照）がフォーカスリング１２の内周面に設けられる固定部（不図示）に係合することによって、固定リング２２をフォーカスリング１２の回転に連動して回転自在とするように構成されている。
【００８８】
このように構成される移動切換機構２０においては、固定リング操作環２１（第２操作環）が第１回転位置に回転した際には、第１突出部２１ｂが固定リング２２（制御環）の第２突出部２２ｂと光軸Ｏに沿う方向において互いに対向することにより、固定リング操作環２１（第２操作環）が光軸Ｏに沿う方向に移動するのを阻止する。
【００８９】
また、固定リング操作環２１（第２操作環）が第２回転位置に回転した際には、第１突出部２１ｂが固定リング２２（制御環）のスライド部２２ｃにスライド可能となり、固定リング操作環２１（第２操作環）が光軸Ｏに沿う方向へ移動するのを許容する。
【００９０】
このように構成された本実施形態のレンズ鏡筒１において、移動切換機構２０の作用を、図１０〜図１５を用いて以下に説明する。図１０〜図１５は、本実施形態のレンズ鏡筒における移動切換機構の作用を説明する図である。このうち、図１０，図１１は移動切換機構の第１状態を示している。図１２，図１３は移動切換機構の第２状態を示している。図１４，図１５は移動切換機構の第３状態を示している。なお、図１０，図１２，図１４は図２の符号［Ａ］で示す部位を拡大して示す要部拡大断面図である。ここで、図１０は図１１の［１０］−［１０］線に沿う断面に相当する。図１２は図１３の［１２］−［１２］線に沿う断面に相当する。図１４は図１５の［１４］−［１４］線に沿う断面に相当する。また、図１１，図１３，図１５は各状態にある移動切換機構の主要部の一部を切断し拡大して示す要部拡大斜視図である。なお、図１１，図１３，図１５は、移動切換機構を構成する構成部材（固定リング操作環及び固定リング）のみを示している。
【００９１】
上述したように、本実施形態のレンズ鏡筒１における移動切換機構２０は、フォーカスリング１２（第１操作環）の作用状態を切り換える機構ユニットである。即ち、フォーカスリング１２の作用状態は、移動切換機構２０が作用することによって切り換わる。この場合において、移動切換機構２０はフォーカスリング１２を次に示すような三つの状態に切り換えることができる。
【００９２】
（１）フォーカスリング１２が第１移動位置（前方）にあって、当該フォーカスリング１２が第１移動位置から第２移動位置（後方）へと光軸Ｏに沿う方向において移動自在である状態。この状態を移動切換機構２０の第１状態というものとする。
【００９３】
この第１状態では、フォーカスリング１２は、光軸Ｏ回りの回転が自在であり、かつ第１移動位置から第２移動位置への光軸Ｏに沿う方向の移動が自在である。また、この第１状態では、フォーカスリング１２が前側の第１移動位置にあり、オートフォーカス動作を実行することができる状態であり、かつ撮像装置（不図示）側の設定によってはマニュアルフォーカス動作の実行も可能である。
【００９４】
（２）フォーカスリング１２が第１移動位置（前方）にあって、当該フォーカスリング１２の第１移動位置から第２移動位置（後方）への光軸Ｏに沿う方向の移動が阻止されている状態。この状態を移動切換機構２０の第２状態というものとする。
【００９５】
この第２状態では、フォーカスリング１２は、光軸Ｏ回りの回転が自在であり、かつ第１移動位置から第２移動位置への光軸Ｏに沿う方向の移動が阻止されている。また、この第２状態では、フォーカスリング１２が前側の第１移動位置にあり、オートフォーカス動作を実行することができる状態であり、かつ撮像装置（不図示）側の設定によってはマニュアルフォーカス動作の実行が可能であるのは、第１状態と同様である。
【００９６】
（３）フォーカスリング１２が第２移動位置（後方）にあって、当該フォーカスリング１２が第２移動位置から第１移動位置（前方）へと光軸Ｏに沿う方向において移動自在である状態。この状態を移動切換機構２０の第３状態というものとする。
【００９７】
この第３状態では、フォーカスリング１２は、光軸Ｏ回りの回転が自在であり、かつ第２移動位置から第１移動位置への光軸Ｏに沿う方向の移動が自在である。また、この第３状態では、フォーカスリング１２が後側の第２移動位置にあり、撮像装置（不図示）側の設定に関わらずマニュアルフォーカス動作のみが実行可能である。
【００９８】
上述したように、本レンズ鏡筒１においては、フォーカスリング１２が第１移動位置にあるときには、本レンズ鏡筒１は主にオートフォーカス動作モードで動作し、設定次第でマニュアルフォーカス動作も可能である。一方、フォーカスリング１２が第２移動位置にあるときには、本レンズ鏡筒１が装着される撮像装置（不図示）の設定に関わらずマニュアルフォーカス操作に応じた動作制御が行われる。
【００９９】
ここで、移動切換機構２０における固定リング操作環２１（第２操作環）は、第１回転位置と第２回転位置との間の所定の範囲内で回転移動するように構成されている。この場合において、以下の説明では、固定リング操作環２１が第１回転位置に配置されたときには、フォーカスリング１２の光軸Ｏに沿う方向へのスライド移動が阻止される状態（第２状態）になるものとする。また、固定リング操作環２１が第２回転位置に配置されたときには、フォーカスリング１２の光軸Ｏに沿う方向へのスライド移動が許可される状態（第１状態又は第３状態）になるものとする。
【０１００】
まず、図１０，図１１に示す第１状態においては、フォーカスリング１２が第１の移動位置（前方）に配置された状態であって、かつ移動切換機構２０の固定リング操作環２１は第２回転位置にある。
【０１０１】
この第１状態においては、移動切換機構２０の固定リング２２は、光軸Ｏに沿う方向において図１０，図１１に示す矢印Ｘ１方向に、フォーカスリング１２の第１移動位置から第２移動位置へのスライド移動が許可されている。
【０１０２】
即ち、この第１状態では、図１１に示すように、固定リング操作環２１の第１突出部２１ｂは、光軸Ｏに沿う方向において固定リング２２の通過可能領域２２ｄに対向する位置に配置されている。また、固定リング２２の第２突出部２２ｂは、光軸Ｏに沿う方向において固定リング操作環２１の円環本体部２１ａにおける第１突出部２１ｂ以外の部位に対し所定の間隔（図１０，図１１の符号Ｄ参照）を置いて対向している。そして、固定リング操作環２１と固定リング２２とは、相対的に光軸Ｏ回りの回転（図１１の符号Ｒ１参照）が可能な状態となっている。そして、このとき、固定リング操作環２１が固定リング２２に対して回転操作されたとしても、固定リング操作環２１と固定リング２２との間には、上記所定の間隔Ｄが設けられている。したがって、この状態においては、第１突出部２１ｂが回転方向において第２突出部２２ｂに衝突することがないように、固定リング操作環２１と固定リング２２とが配置されている。
【０１０３】
このような位置関係で固定リング操作環２１と固定リング２２とが配置されていることから、使用者がフォーカスリング１２を第１移動位置から第２移動位置へと光軸Ｏに沿う方向（図１０，図１１の矢印Ｘ１方向）にスライド移動操作させると、このフォーカスリング１２のスライド移動に連動して固定リング操作環２１は同方向に移動する。これにより、第１突出部２１ｂはスライド部２２ｃに沿って摺動し、通過可能領域２２ｄに配置される。そして、円環本体部２１ａにおける第１突出部２１ｂ以外の部位は、固定リング２２の第２突出部２２ｂに当接する。これにより、フォーカスリング１２第２移動位置へと移動し、これ以上の光軸Ｏ方向への移動は規制される。このときの状態が、図１４，図１５で示す第３状態である。
【０１０４】
次に、移動切換機構２０が第１状態にあるとき（図１０，図１１）に、使用者が操作ボタン２３により固定リング操作環２１（第２操作環）を回転操作して第２回転位置から第１回転位置へと回転させると、移動切換機構２０は図１２，図１３に示す第２状態になる。
【０１０５】
この第２状態では、固定リング操作環２１（第２操作環）の第１突出部２１ｂが固定リング２２（制御環）の第２突出部２２ｂと光軸Ｏに沿う方向において互いに対向する位置にあって当接している（符号Ｄ１参照）。これによって、固定リング操作環２１は光軸Ｏに沿う方向（図１２，図１３の矢印Ｘ１方向）へ移動することが阻止されている。したがって、フォーカスリング１２の第１移動位置から第２移動位置への光軸Ｏに沿う方向のスライド移動も阻止されている。つまり、この第２状態としたとき（固定リング操作環２１が第１回転位置にあるとき）には、フォーカスリング１２は、不用意に光軸Ｏ方向へのスライド移動が阻止されている。
【０１０６】
次に、移動切換機構２０が第２状態にあるとき（図１２，図１３）に、使用者が操作ボタン２３により固定リング操作環２１（第２操作環）を回転操作して第１回転位置から第２回転位置へと回転させると、移動切換機構２０は、上述の図１０，図１１に示す第１状態に戻る。
【０１０７】
この第１状態では、上述したように、固定リング操作環２１の第１突出部２１ｂは、固定リング２２の通過可能領域２２ｄに対向する位置に配置されている。これにより、固定リング操作環２１の光軸Ｏに沿う方向への移動が許容されている。したがって、フォーカスリング１２の第１移動位置から第２移動位置への光軸Ｏに沿う方向のスライド移動も許容されている。つまり、この第１状態としたとき、即ちフォーカスリング１２が第１移動位置にあって、固定リング操作環２１が第２回転位置にあるときには、フォーカスリング１２は、自在に光軸Ｏ方向へのスライド移動が許容されている。
【０１０８】
次に、移動切換機構２０が第１状態にあるとき（図１０，図１１）に、使用者がフォーカスリング１２をスライド操作して第１移動位置から第２移動位置へと移動させると、移動切換機構２０は、図１４，図１５に示す第３状態になる。
【０１０９】
この第３状態においては、フォーカスリング１２が第２の移動位置（後方）に配置された状態であって、かつ移動切換機構２０の固定リング操作環２１は第２回転位置にある。そして、固定リング操作環２１の第１突出部２１ｂは、固定リング２２の通過可能領域２２ｄに配置されており、かつ固定リング２２の第２突出部２２ｂが固定リング操作環２１の円環本体部２１ａに当接している（符号Ｄ２参照）。
【０１１０】
したがって、この第３状態では、移動切換機構２０のフォーカスリング１２は、光軸Ｏに沿う方向において図１４，図１５に示す矢印Ｘ２方向、即ちフォーカスリング１２の第２移動位置から第１移動位置へのスライド移動が許可されている。これと同時に、第２移動位置にあるフォーカスリング１２は、光軸Ｏに沿う方向において図１４，図１５に示す矢印Ｘ２方向へのスライド移動は阻止されている。つまり、フォーカスリング１２は、第２移動位置よりも後方へは移動しない。
【０１１１】
さらに、この第３状態では、フォーカスリング１２は光軸Ｏ周りに所定の範囲内で回転自在であり、マニュアルフォーカス動作のみが実行可能な状態である。上述したように、固定リング２２はフォーカスリング１２の回転に連動して同方向に回転する。そして、図１５に示すように、固定リング２２の通過可能領域２２ｄには固定リング２２の第２突出部２２ｂが光軸Ｏ回りの回転方向において係合している状態にある。したがって、この第３状態において、フォーカスリング１２が回転操作されると、これに連動して固定リング２２が同方向に回転し、さらに、これに連動して固定リング操作環２１も同方向に回転する。
【０１１２】
即ち、第３状態においては、フォーカスリング１２の回転操作に連動して、固定リング２２，固定リング操作環２１，操作ボタン２３からなる移動切換機構２０が一体となってフォーカスリング１２と一体に同方向に回転する。このとき、固定リング操作環２１と固定リング２２とは、相対的な位置関係を維持したままフォーカスリング１２と連動して回転する。
【０１１３】
次に、移動切換機構２０が第３状態にあるとき（図１４，図１５）に、使用者がフォーカスリング１２を第２移動位置から第１移動位置へと光軸Ｏに沿う方向（矢印Ｘ２方向）にスライド移動操作させると、固定リング操作環２１の第１突出部２１ｂは固定リング２２の通過可能領域２２ｄから離脱して、図１０，図１１に示す第１状態に戻る。
【０１１４】
以上説明したように上記一実施形態によれば、光軸Ｏに沿って第１移動位置と第２移動位置とに移動可能であると共に、光軸Ｏ回りに回転可能に配置され、光軸Ｏ回りの回転操作に応じてレンズ保持枠４５を光軸Ｏ方向に移動させるための駆動力を発生させる第１操作環であるフォーカスリング１２と、フォーカスリング１２（第１操作環）の光軸Ｏ方向の移動に連動して当該フォーカスリング１２（第１操作環）と共に第１移動位置または第２移動位置に移動すると共に、フォーカスリング１２（第１操作環）が第１移動位置に位置している際に、第１回転位置と第２回転位置とに回転操作可能な第２操作環である固定リング操作環２１と、光軸Ｏに対して固定された位置に配置され、固定リング操作環２１（第２操作環）が第１回転位置に回転した際には当該固定リング操作環２１（第２操作環）が光軸Ｏ方向に移動するのを阻止し、固定リング操作環２１（第２操作環）が第２回転位置に回転した際には当該固定リング操作環２１（第２操作環）が光軸Ｏ方向に移動するのを許容する制御環２２とを具備して構成している。
【０１１５】
このような構成により、第１操作環であるフォーカスリング１２が第１移動位置にあるときには、第２操作環である固定リング操作環２１の所定範囲内での回転操作のみで、フォーカスリング１２の光軸Ｏ方向におけるスライド移動の阻止又は許容を切り換えることができる。その場合に、固定リング操作環２１と固定リング２２とは、充分な強度で形成されており、フォーカスリング１２の移動を確実に阻止することができる。
【０１１６】
また、固定リング操作環２１（第２操作環）には、操作者に回転操作させるための回転操作部である操作ボタン２３が設けられ、
フォーカスリング１２（第１操作環）には、光軸Ｏ回りに回転可能に配置され操作ボタン２３（回転操作部）を露呈するための開口部１２ａを設けて構成している。ここで、操作ボタン２３（回転操作部）は、開口部１２ａ内において回転操作が可能となるように構成している。
【０１１７】
そして、レンズ鏡筒１は、フォーカスリング１２（第１操作環）とは異なる機能を設定するための第３操作環であるズーム操作リング１８を、さらに有しており、ズーム操作リング１８（第３操作環）は、光軸Ｏ方向における一端部が、フォーカスリング１２（第１操作環）に設けられた開口部１２ａの少なくとも一部を覆うように配置されている。
【０１１８】
この構成により、フォーカスリング１２が第２移動位置にあるときには、固定リング操作環２１の回転操作を行い得ない状態とすることで、フォーカスリング１２が第２移動位置にあるときには、いつでも即座にフォーカスリング１２の第１移動位置への移動を行うことができる。したがって、レンズ鏡筒１を装着した撮像装置の使用時に、マニュアルフォーカス動作モードからオートフォーカス動作モードへの切り換え操作を簡単に行うことができる。
【０１１９】
本発明は上述した一実施形態に限定されるものではなく、発明の主旨を逸脱しない範囲内において種々の変形や応用を実施することができることは勿論である。さらに、上記一実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１２０】
１……レンズ鏡筒
１１……指標表示枠
１２……フォーカスリング
１２ａ……開口部
１３……距離表示リング
１４……摺動環
１５……中間環
１６……固定筒
１７……オサエ環
１８……ズーム操作リング
１９……後側外装筒
２０……移動切換機構
２１……固定リング操作環
２１ａ……円環本体部
２１ｂ……第１突出部
２１ｃ……スラスト規制部
２１ｄ……摺動許容領域
２１ｅ……ボタン配置孔
２１ｆ……ボタン配置部
２２……固定リング
２２ａ……固定リング本体部
２２ｂ  第２突出部
２２ｃ……スライド部
２２ｄ……通過可能領域
２２ｅ……フォトインタラプタ用スリット
２２ｆ……連動凸部
２３……操作ボタン
２３ａ……付勢部材
２６……レンズマウントリング
３１、３２，３３，３４，３６……レンズ群
３５……フォーカスレンズ群
４１，４２，４３，４４，４５，４６……レンズ保持枠
【図１】
2020071314.tif 000003
【図２】
2020071314.tif 000004
【図３】
2020071314.tif 000005
【図４】
2020071314.tif 000006
【図５】
2020071314.tif 000007
【図６】
2020071314.tif 000008
【図７】
2020071314.tif 000009
【図８】
2020071314.tif 000010
【図９】
2020071314.tif 000011
【図１０】
2020071314.tif 000012
【図１１】
2020071314.tif 000013
【図１２】
2020071314.tif 000014
【図１３】
2020071314.tif 000015
【図１４】
2020071314.tif 000016
【図１５】
2020071314.tif 000017